(57)【要約】【課題】  工具を使用しない簡単な手作業で、一般的に汎用されている端子台の端子取付部を確実にカバーすること。【解決手段】  複数の端子取付部３を間に挟むように基台２の両端に設けられたねじ４を利用して取付面に固定される端子台５に用いられるものであって、ねじを介して基台の両端にそれぞれ取り付けられ、複数の端子取付部よりも基台から離間した位置に配される環状のスペーサ部を有する一対の固定金具２０と、一端側が一方のスペーサ部に回転可能に連結され、複数の端子取付部の上部を覆う閉位置Ｐ１と複数の端子取付部の上部を開放する開位置Ｐ２との間で変位する板状のカバー部材２１とを備え、該カバー部材の他端側には、カバー部材を閉位置に位置させた際に、他方のスペーサ部に嵌合してカバー部材を閉位置で保持させる嵌合溝２１ｂが形成されている端子台用カバー機構１を提供する。【選択図】  図７
2008176946.tif 000002
【特許請求の範囲】
【請求項１】
基台と、該基台に複数形成された端子取付部とを有し、複数の端子取付部を間に挟むように基台の両端に設けられたねじを利用して取付面に固定される端子台に用いられる端子台用カバー機構であって、
前記ねじを介して前記基台の両端にそれぞれ取り付けられ、前記複数の端子取付部よりも基台から離間した位置に配される環状のスペーサ部を有する一対の固定金具と、
一端側が一方の前記スペーサ部に回転可能に連結され、前記複数の端子取付部の上部を覆う閉位置と複数の端子取付部の上部を開放する開位置との間で変位する板状のカバー部材とを備え、
前記カバー部材の他端側には、カバー部材を前記閉位置に位置させた際に、他方の前記スペーサ部に嵌合してカバー部材を閉位置で保持させる嵌合溝が形成されていることを特徴とする端子台用カバー機構。
【請求項２】
基台と、該基台に複数形成された端子取付部とを有し、複数の端子取付部を間に挟むように基台の両端に設けられたねじを利用して取付面に固定される端子台に用いられる端子台用カバー機構であって、
前記ねじを介して前記基台の両端にそれぞれ取り付けられ、前記複数の端子取付部よりも基台から離間した位置に配される環状のスペーサ部を有する一対の固定金具と、
板状に形成されたカバー部材とを備え、
該カバー部材の両端には、前記複数の端子取付部を覆う閉位置にカバー部材を位置させた際に、前記一対のスペーサ部をそれぞれ貫通させる貫通部と、該貫通部にそれぞれ一体的に形成され、カバー部材を一方向に向けてスライド移動させた際に、一対のスペーサ部にそれぞれ嵌合してカバー部材を閉位置で保持させる嵌合溝とが、それぞれ形成されていることを特徴とする端子台用カバー機構。
【請求項３】
請求項１又は２に記載の端子台用カバー機構において、
前記カバー部材の片側には、略直角に折曲された折曲部が形成されており、前記閉位置で保持された際に、前記基台の側面に当接してカバー部材と基台との隙間を遮蔽することを特徴とする端子台用カバー機構。
【請求項４】
請求項１から３のいずれか１項に記載の端子台用カバー機構において、
前記カバー部材は、透明な材料により形成されていることを特徴とする端子台用カバー機構。
【発明の詳細な説明】
【技術分野】
【０００１】
本発明は、各種の導電線の端部がねじ止めされる端子台の端子取付部をカバーする端子台用カバー機構に関するものである。
【背景技術】
【０００２】
各種の電子機器、配電盤や制御盤等には、内部に組み込まれている各機器と外部に設けられている各機器との電気的な接続を行うために、通常端子台が使用されている。つまりこの端子台は、それぞれの機器から引き出された各種導電線同士を接続する中継部品として使用される。一般的にこの種の端子台は、絶縁体で成形した基台に導電線の端子がねじ止めされる端子取付部を複数有している。また、各端子取付部の間には、端子台と一体的に成形された隔壁が設けられている。これにより各端子取付部は、それぞれ区画された状態となっており、各端子取付部にねじ止めされた導電線同士が短絡しないように配慮されている。
【０００３】
また、安全性をさらに高めるために、通常端子台には、各端子取付部に対して導電性部品や指等を誤って触れてしまうことを防止するカバーが装着されている。このカバーを装着するには、いくつかの方法があるが一般的には、端子台若しくは端子台を取り付ける取付面に対してねじ止めをしている。また、ねじ止め以外の方法としては、カバーを一旦Ｕ字状に湾曲させて、カバーの両端に形成された爪を端子台に形成された溝に挿し込んだ後、カバーの湾曲を解いて爪と溝とを係合させる方法も知られている。
【０００４】
ところが、カバーをねじ止めする方法は、カバーを脱着する毎に工具が必要となるので、手間と時間がかかり、作業効率の低下を招くものであった。これに加え、取り外したねじを誤って端子取付部に対して接触させてしまった場合には、端子取付部をショートさせてしまう可能性もあった。更には、取り外したねじを紛失してしまう可能性もあった。
一方、カバーを一旦湾曲させて取り付ける方法は、工具やねじが不要であるので、上述した問題が生じないが、湾曲させる必要があるので、カバー自体を軟らかい材質のもので作製する必要がある。そのため、カバー自体の剛性が低くなってしまい、カバーとしての信頼性に劣るものであった。そこで、工具が不要でカバーを弾性変形させる必要もない端子台が提供されている（特許文献１参照）。
【特許文献１】特開２０００−１１３９１８号公報
【発明の開示】
【発明が解決しようとする課題】
【０００５】
しかしながら、上記従来の端子台では、まだ以下の課題が残されている。
即ち、特許文献１に記載された端子台では、カバーを固定するために、端子台側にカバーをスライド挿入させるための溝や、カバーに形成された係合孔に係合させるための突起状の係合部等を加工する必要がある。そのため、広く汎用されている一般的な端子台をそのまま流用することができなかった。従って、端子台に不具合が生じた場合には、専用のものを再度用意する必要があり、ランニングコストがかかるものであった。
【０００６】
本発明は、このような事情に考慮してなされたもので、その目的は、工具を使用しない簡単な手作業で、一般的に汎用されている端子台の端子取付部を確実にカバーすることができる端子台用カバー機構を提供することである。
【課題を解決するための手段】
【０００７】
本発明は、前記課題を解決するために以下の手段を提供する。
本発明に係る端子台用カバー機構は、基台と、該基台に複数形成された端子取付部とを有し、複数の端子取付部を間に挟むように基台の両端に設けられたねじを利用して取付面に固定される端子台に用いられる端子台用カバー機構であって、前記ねじを介して前記基台の両端にそれぞれ取り付けられ、前記複数の端子取付部よりも基台から離間した位置に配される環状のスペーサ部を有する一対の固定金具と、一端側が一方の前記スペーサ部に回転可能に連結され、前記複数の端子取付部の上部を覆う閉位置と複数の端子取付部の上部を開放する開位置との間で変位する板状のカバー部材とを備え、該カバー部材の他端側には、カバー部材を前記閉位置に位置させた際に、他方の前記スペーサ部に嵌合してカバー部材を閉位置で保持させる嵌合溝が形成されていることを特徴とするものである。
【０００８】
この発明に係る端子台用カバー機構においては、端子台を基台の両端に設けられたねじを利用して取付面に固定する際に、同じねじを利用して一対の固体金具を基台に取り付けた状態で固定する。この際、一対の固定金具のスペーサ部は、基台の両端において複数の端子取付部よりも基台から離間した位置に配された状態となっている。また、一方のスペーサ部には、板状のカバー部材が回転可能に連結されている。
そして、複数の端子取付部に各種の導電線の端部を接続する場合には、カバー部材を回転させて開位置に位置させておく。これにより、複数の端子取付部の上部は、開放された状態となる。そのため、作業者はカバー部材に邪魔されることなく、導電線の接続作業を行える。そして、接続作業が終了した後、カバー部材を開位置から閉位置に回転させて、複数の端子取付部の上部をカバー部材で覆う。この際、カバー部材の他端側に形成された嵌合溝を他方のスペーサ部に押し込んで嵌合させる。これにより、カバー部材を閉位置で確実に保持することができ、複数の端子取付部の上部を覆った状態を維持することができる。
【０００９】
そのため、複数の端子取付部に対して、誤って何らかの導電性部品や指等を接触させてしまうことを防止することができ、複数の端子取付部の短絡を防止できると共に、安全性を高めることができる。また、導電線を端子取付部から取り外す際には、嵌合溝と他方のスペーサ部との嵌合を解いた後、閉位置から開位置にカバー部材を回転させる。これにより、複数の端子取付部の上部が開放された状態になるので、その後、容易に導電線を取り外すことができる。
【００１０】
上述したように、カバー部材を開位置と閉位置との間で回転させるだけの簡単な手作業で端子取付部をカバーできるので、工具が不要であり、作業効率の低下を招くことがない。また、カバー部材は、固定金具のスペーサ部に回転可能に連結されているので、導電線の接続或いは取り外し作業中にカバー部材を紛失する恐れもない。また、カバー部材を従来のように湾曲させる必要がないので、剛性を高めることができ、カバーとしての信頼性を高めることができる。
特に、端子台を取り付けるねじを利用して一対の固定金具を固定しているので、従来のように端子台を加工する必要がない。そのため、広く汎用されている一般的な端子台に組み合わせて使用することができる。従って、端子台自体に不具合が生じた場合であっても、汎用品を使用でき、ランニングコストを抑えることができる。
【００１１】
また、本発明に係る端子台用カバー機構は、基台と、該基台に複数形成された端子取付部とを有し、複数の端子取付部を間に挟むように基台の両端に設けられたねじを利用して取付面に固定される端子台に用いられる端子台用カバー機構であって、前記ねじを介して前記基台の両端にそれぞれ取り付けられ、前記複数の端子取付部よりも基台から離間した位置に配される環状のスペーサ部を有する一対の固定金具と、板状に形成されたカバー部材とを備え、該カバー部材の両端には、前記複数の端子取付部を覆う閉位置にカバー部材を位置させた際に、前記一対のスペーサ部をそれぞれ貫通させる貫通部と、該貫通部にそれぞれ一体的に形成され、カバー部材を一方向に向けてスライド移動させた際に、一対のスペーサ部にそれぞれ嵌合してカバー部材を閉位置で保持させる嵌合溝とが、それぞれ形成されていることを特徴とするものである。
【００１２】
この発明に係る端子台用カバー機構においては、端子台を基台の両端に設けられたねじを利用して取付面に固定する際に、同じねじを利用して一対の固体金具を基台に取り付けた状態で固定する。この際、一対の固定金具のスペーサ部は、基台の両端において複数の端子取付部よりも基台から離間した位置に配された状態となっている。
そして、複数の端子取付部に各種の導電線の端部を接続する接続作業が終了した後、カバー部材を端子台に重ね合わせる。この際、カバー部材の両端に形成された貫通部にスペーサ部を貫通させた状態で重ね合わせる。これにより、複数の端子取付部の上部をカバー部材で覆うことができる。そして、カバー部材を重ね合わせた位置から一方向にスライド移動させて、貫通部に一体的に形成された嵌合溝をそれぞれスペーサ部に押し込んで嵌合させる。これにより、複数の端子取付部を覆う閉位置でカバー部材を確実に保持することができ、複数の端子取付部の上部を覆った状態を維持することができる。
【００１３】
そのため、複数の端子取付部に対して、誤って何らかの導電性部品や指等を接触させてしまうことを防止することができ、複数の端子取付部の短絡を防止できると共に、安全性を高めることができる。また、導電線を端子取付部から取り外す際には、カバー部を逆方向にスライド移動させて、嵌合溝とスペーサ部との嵌合を解いた後、カバー部材を取り外す。これにより、複数の端子取付部の上部が開放された状態になるので、その後、容易に導電線を取り外すことができる。
【００１４】
上述したように、カバー部材をスライド移動させるだけの簡単な手作業で端子取付部をカバーできるので、工具が不要であり、作業効率の低下を招くことがない。また、カバー部材を従来のように湾曲させる必要がないので、剛性を高めることができ、カバーとしての信頼性を高めることができる。
特に、端子台を取り付けるねじを利用して一対の固定金具を固定しているので、従来のように端子台を加工する必要がない。そのため、広く汎用されている一般的な端子台に組み合わせて使用することができる。従って、端子台自体に不具合が生じた場合であっても、汎用品を使用でき、ランニングコストを抑えることができる。
【００１５】
本発明に係る端子台用カバー機構は、上記本発明の端子台用カバー機構において、前記カバー部材の片側には、略直角に折曲された折曲部が形成されており、前記閉位置で保持された際に、前記基台の側面に当接してカバー部材と基台との隙間を遮蔽することを特徴とするものである。
【００１６】
この発明に係る端子台用カバー機構においては、カバー部材の片側に折曲部が形成されているので、カバー部材を閉位置に保持させた際に折曲部が基台の側面に当接して、カバー部材と基台との隙間を遮蔽する。よって、端子台の側方から端子台とカバー部材との間に塵埃等が外部から侵入してきたとしても、折曲部にて遮蔽することができる。そのため、複数の端子取付部に塵埃等が付着することを極力防止することができる。従って、塵埃等の付着による短絡の可能性を減らすことができ、安全性をさらに高めることができる。
【００１７】
また、本発明に係る端子台用カバー機構は、上記本発明のいずれかの端子台用カバー機構において、前記カバー部材が、透明な材料により形成されていることを特徴とするものである。
【００１８】
この発明に係る端子台用カバー機構においては、カバー部材が透明であるので、カバー部材を通して端子取付部と導電線との接続状態を確認することができる。
【発明の効果】
【００１９】
本発明に係る端子台用カバー機構によれば、工具を使用しない簡単な手作業で、一般的に汎用されている端子台の端子取付部を確実にカバーすることができる。
【発明を実施するための最良の形態】
【００２０】
（第１実施形態）
以下、本発明に係る端子台用カバー機構の第１実施形態を、図１から図８を参照して説明する。本実施形態の端子台用カバー機構１は、図１及び図２に示すように、基台２と、該基台２に複数形成された端子取付部３とを有し、複数の端子取付部３を間に挟むように基台２の両端に設けられたねじ４を利用して取付面Ｓに固定される端子台５に用いられるものである。
【００２１】
始めに、端子台５について説明する。この端子台５は、図３から図６に示すように、一般的に広く使用されている汎用品であって、例えば、端子取付部３が一列に３つ並んで基台２に形成されている。
基台２は、樹脂材料等により成型されたものであり、上面視矩形状に形成されている。そして、基台２の上面側に、端子取付部３が一列に３つ並んで形成されている。この端子取付部３は、図６に示すように、基台２に形成されたねじ孔２ａに螺合する端子用ねじ３ａと、端子用ねじ３ａと基台２との間に配され、端子用ねじ３ａが挿通するワッシャ３ｂとから構成されている。
【００２２】
また、本実施形態の端子台５は、上記端子取付部３に対向するように、基台２の下面側にも端子用ねじ６ａとワッシャ６ｂとからなる端子取付部６を３つ有している。また、両端子取付部３、６は、基台２に組みこまれた導電板７を介して電気的に接続された状態となっている。具体的に説明すると、導電板７は断面コ形状に形成されており、基台２の上面側及び下面側に一部が露出するように基台２に組み込まれている。これにより、両端子取付部３、６のワッシャ３ｂ、６ｂと導電板７とがそれぞれ面接触するので、互いに電気的に接続された状態となっている。
【００２３】
また、各端子取付部３の間には、基台２と一体的に成形された隔壁２ｂが設けられている。これにより、各端子取付部３は、それぞれ区画された状態となっており、各端子取付部３に接続された後述する導電線Ｗ同士が接触して短絡しないようになっている。
【００２４】
また、基台２の両端には、該基台２を取付面Ｓに固定するねじ４を収容する切り欠き部２ｃと、該基台２を取付面Ｓに固定するねじ４が挿通する挿通孔２ｄが形成されている。切り欠き部２ｃは、基台２の両端の略中央部分にそれぞれ形成されている。また挿通孔２ｄは、この切り欠き部２ｃ内に形成されている。
このように構成された端子台５は、上記ねじ４と、該ねじ４に挿通するワッシャ８と、ねじ４に螺合するナット９とによって、図１及び図２に示すように、取付面Ｓに固定されるようになっている。
【００２５】
端子台用カバー機構１は、図１、図２及び図７に示すように、ねじ４を介して基台２の両端にそれぞれ取り付けられ、複数の端子取付部３よりも基台２から離間した位置に配される環状のスペーサ部２０ａを有する一対の固定金具２０と、一端側が一方のスペーサ部２０ａに回転可能に連結され、複数の端子取付部３の上部を覆う閉位置Ｐ１と端子取付部３の上部を開放する開位置Ｐ２との間で変位する板状のカバー部材２１とを備えている。
【００２６】
一対の固定金具２０は、図６に示すように、円筒部２０ｂと上記スペーサ部２０ａとが一体的に形成された金具であり、円筒部２０ｂからスペーサ部２０ａに亘って中心を貫くように、ねじ４が挿通するねじ孔２０ｃが形成されている。円筒部２０ｂは、上記切り欠き部２ｃ内に収容されるサイズに外径が形成されており、また、収容された際にスペーサ部２０ａが基台２の上端から突出するように高さが調整されている。これにより、スペーサ部２０ａは、複数の端子取付部３よりも基台２から離間した位置に配された状態となる。また、この固定金具２０は、切り欠き部２ｃに収容された状態で、ねじ４を利用して端子台５に固定されるようになっている。
【００２７】
上記カバー部材２１は、透明な材料により図８に示すように、略長方形状に形成されており、一端側にスペーサ部２０ａが挿通される挿通孔２１ａが形成されている。そしてカバー部材２１は、挿通孔２１ａ内にスペーサ部２０ａを挿通した状態でワッシャ８及びねじ４によって抜け止めがされるようになっている。これにより、カバー部材２１は、一方のスペーサ部２０ａに対して回転可能に連結されるようになっており、図７に示すように、軸線Ｌ回りに回転して、上述したように閉位置Ｐ１と開位置Ｐ２との間で変位できるようになっている。
また、カバー部材２１の他端側には、カバー部材２１を閉位置Ｐ１に位置させた際に、他方のスペーサ部２０ａに嵌合してカバー部材２１を閉位置Ｐ１で保持させる嵌合溝２１ｂが形成されている。更に、カバー部材２１の片側には、略直角に折曲された折曲部２１ｃが形成されている。この折曲部２１ｃは、カバー部材２１が閉位置Ｐ１で保持された際に、図２に示すように、基台２の側面に当接してカバー部材２１と基台２との間の隙間を遮蔽するようになっている。
【００２８】
次に、このように構成された端子台用カバー機構１の作用について説明する。
まず、端子台５を基台２の両端に設けられたねじ４を利用して取付面Ｓに取り付ける前に、切り欠き部２ｃに固定金具２０を収容しておく。この際、一対の固定金具２０のスペーサ部２０ａは、基台２の両端において複数の端子取付部３よりも基台２から離間した位置に配された状態となっている。また、一方の固定金具２０のスペーサ部２０ａに、カバー部材２０の挿通孔２１ａを挿通させておく。次いで、端子台５を取り付けるねじ４を利用して、一対の固定金具２０を基台２に取り付けた状態で固定すると共に、基台２を取付面Ｓに固定する。これによりカバー部材２１は、一方のスペーサ部２０ａに対して回転可能に連結された状態となる。
【００２９】
次いで、図７に示すように、カバー部材２１を軸線Ｌ回りに回転させて開位置Ｐ２に位置させる。これにより、複数の端子取付部３の上部は、開放された状態となる。そのため、作業者はカバー部材２１に邪魔されることなく導電線Ｗの接続作業を行える。なお、本実施形態では、各導電線Ｗの端末に圧着されたターミナルＴをワッシャ３ｂ及び端子用ねじ３ａで導電板７に押さえつけることで、導電線Ｗの接続を行っている場合を例にしている。その後、他方の端子取付部６に図示しない導電線の端部を接続することで、該導電線と上記導電線Ｗとを接続する中継部品として端子台５は機能する。
【００３０】
そして、導電線Ｗの接続作業が終了した後、カバー部材２１を開位置Ｐ２から閉位置Ｐ１に回転させて、複数の端子取付部３の上部をカバー部材２１で覆う。この際、カバー部材２１の他端側に形成された嵌合溝２１ｂを他方のスペーサ部２０ａに押し込んで嵌合させる。これにより、図１及び図２に示すように、カバー部材２１を閉位置Ｐ１で確実に保持することができ、複数の端子取付部３の上部を覆った状態を維持することができる。
【００３１】
そのため、複数の端子取付部３に対して、誤って何らかの導電性部品や指等を接触させてすまうことを防止することができ、複数の端子取付部３の短絡を防止することができると共に、安全性を高めることができる。
しかも、カバー部材２１を閉位置Ｐ１に保持させたときに、図２に示すように折曲部２１ｃが基台２の側面に当接して、カバー部材２１と基台２との隙間を遮蔽する。よって、端子台５の側方から端子台５とカバー部材２１との間に塵埃等が侵入してきたとしても、折曲部２１ｃにて遮蔽することができる。そのため、複数の端子取付部３に塵埃等が付着することを極力防止することができる、従って、塵埃等の付着による短絡の可能性を減らすことができ、安全性をさらに高めることができる。
【００３２】
また、導電線Ｗを端子取付部３から取り外す際には、嵌合溝２１ｂと他方のスペーサ部２０ａとの嵌合を解いた後、閉位置Ｐ１から開位置Ｐ２にカバー部材２１を回転させる。これにより、複数の端子取付部３の上部が開放された状態になるので、その後、容易に導電線Ｗを取り外すことができる。
なお、カバー部材２１の他端側は、作業者がカバー部材２１を回転させ易いように、端子台５よりも外方に突出するように形成されている。
【００３３】
上述したように、カバー部材２１を開位置Ｐ２と閉位置Ｐ１との間で回転させるだけの簡単な手作業で端子取付部３をカバーできるので、工具が不要であり、作業効率の低下を招くことがない。また、カバー部材２１は、固定金具２０のスペーサ部２０ａに回転可能に連結されているので、導電線Ｗの接続或いは取り外し作業中にカバー部材２１を紛失する恐れもない。また、カバー部材２１を従来のように湾曲させる必要がないので、剛性を高めることができ、カバーとしての信頼性を高めることができる。
【００３４】
特に、端子台５を取り付けるねじ４を利用して一対の固定金具２０を固定しているので、従来のように端子台５を加工する必要がない。そのため、広く汎用されている一般的な端子台５に組み合わせて使用することができる。従って、端子台５自体に不具合が生じた場合であっても、汎用品を使用でき、ランニングコストを抑えることができる。
また、カバー部材２１が透明であるので、端子取付部３と導電線Ｗとの接続状態を、カバー部材２１を通して確認することができる。
【００３５】
（第２実施形態）
次に、本発明に係る端子台用カバー機構の第２実施形態を、図９から図１３を参照して説明する。なお、この第２実施形態においては、第１実施形態における構成要素と同一の部分については、同一の符号を付しその説明を省略する。
第２実施形態と第１実施形態との異なる点は、第１実施形態では、カバー部材２１が固定金具２０に連結されていたが、第２実施形態では、カバー部材３１が脱着可能とされている点である。
【００３６】
即ち、本実施形態の端子台用カバー機構３０は、図９及び図１０に示すように一対の貫通部３１ａ及び嵌合溝３１ｂが形成されたカバー部材３１を備えている。一対の貫通部３１ａは、カバー部材３１の両端にそれぞれ形成されており、複数の端子取付部３を覆う閉位置Ｐ１にカバー部材３１を位置させた際に、一対のスペーサ部２０ａをそれぞれ貫通させている。本実施携帯では、一方の貫通部３１ａは貫通孔であり、他方の貫通部３１ａはテーパー状に切り欠かれた切り欠き溝となっている。
また、嵌合溝３１ｂは、一対の貫通部３１ａに対してそれぞれ一体的に形成され、カバー部材３１を一方向、例えば、カバー部材３１の長手方向に向けてスライド移動させた際に一対のスペーサ部２０ａにそれぞれ嵌合してカバー部材３１を閉位置Ｐ１で保持できるようになっている。
【００３７】
また、本実施形態のカバー部材３１も第１実施形態と同様に、片側に折曲部３１ｃが形成されている。更に、もう一方の片側には、若干の長さだけ略９０度折曲された折曲部３１ｄが形成されている。
【００３８】
このように構成されたカバー部材３１を有する端子台用カバー機構３０を利用する場合には、まず、第１実施形態と同様に、一対の固定金具２０を基台２に取り付けた状態で端子台５を取付面Ｓに固定する。次いで、複数の端子取付部３に導電線Ｗを接続する接続作業を行う。この接続作業が終了した後、カバー部材３１を端子台５に重ね合わせる。この際、図１１に示すように、カバー部材３１の両端に形成された貫通部３１ａにスペーサ部２０ａを貫通させた状態で重ね合わせる。これにより、複数の端子取付部３の上部をカバー部材３１で覆うことができる。そして、カバー部材３１を重ね合わせた位置からカバー部材３１の長手方向に沿った一方向（図１１に示す矢印Ａ方向）にスライド移動させて、貫通部３１ａに一体的に形成された嵌合溝３１ｂをそれぞれスペーサ部２０ａに押し込んで嵌合させる。これにより、図１２及び図１３に示すように、複数の端子取付部３を覆う閉位置Ｐ１でカバー部材３１を確実に保持することができ、複数の端子取付部３の上部を覆った状態を維持することができる。
なお、図１１から図１３では、図を見易くするため、導電線Ｗの図示を省略している。
【００３９】
また、導電線Ｗを端子取付部３から取り外す場合には、カバー部を逆方向にスライド移動させて、嵌合溝３１ｂとスペーサ部２０ａとの嵌合を解いた後、カバー部材３１を取り外す。これにより、複数の端子取付部３の上部が開放された状態になるので、その後、容易に導電線Ｗを取り外すことができる。
なお、本実施形態のカバー部材３１も第１実施形態と同様に、作業者がスライド操作し易いように、他端側が端子台５よりも外方に突出するように形成されている。
【００４０】
上述したように、本実施形態の端子台用カバー機構３０においても、第１実施形態と同様に、工具を使用しない簡単な手作業で、一般的に汎用されている端子台５の端子取付部３を確実にカバーすることができる。特に、本実施形態のカバー部材３１は、折曲部３１ｃに加え、反対側にも折曲部３１ｄが形成されているので、さらに剛性を高めることができ、カバーとしての信頼性がより高い。また、カバー部材３１を回転させることが困難な状況にも対応することができる。
【００４１】
なお、本発明の技術範囲は上記実施の形態に限定されるものではなく、本発明の趣旨を逸脱しない範囲において種々の変更を加えることが可能である。
【００４２】
例えば、上記各実施形態では、基台２の両端に切り欠き部２ｃを有する端子台５を例に挙げたが、この端子台５に限定されるものではない。また、基台２に３つの端子取付部３が一例に並んだ端子台５を例に挙げたが、端子取付部３の数は３つに限定されるものではない。
【００４３】
また、第２実施形態において、一方の貫通部３１ａを貫通孔とし、他方の貫通孔を切り欠き溝とした場合を例に挙げたが、両方の貫通部３１ａを貫通孔としても構わない。
また、カバー部材３１をスライドさせる際に、カバー部材３１の長手方向に沿った方向に移動させた場合を例にしたが、この方向に限定されるものではない。嵌合溝３１ｂの形成方向を変えることで、自由な方向にスライドさせることが可能である。この場合には、折曲部３１ｃ、３１ｄを形成せず、フラットなカバー部材３１にすれば良い。但し、本実施形態のように、長手方向に沿った方向にスライドできるように嵌合溝３１ｂを形成することで、カバー部材に折曲部３１ｃ、３１ｄをそれぞれ形成できるので、カバー部材３１の剛性を高めることができ、より好ましい。
【図面の簡単な説明】
【００４４】
【図１】本発明に係る端子台用カバー機構の第１実施形態を示す図であって、端子取付部の上部をカバー部材で覆った上体を示す上面図である。
【図２】図１に示す断面矢視Ａ−Ａ図である。
【図３】端子台用カバー機構の固定金具が固定された端子台の側面図である。
【図４】図３に示す端子台の上面図である。
【図５】図３に示す矢印Ｃ方向から見た側面図である。
【図６】図４に示す断面矢視Ｂ−Ｂ図である。
【図７】図１に示す状態から、カバー部材を軸腺Ｌ回りに回転させて、閉位置と開位置との間を変位させている状態を示す図である。
【図８】図１に示すカバー部材の斜視図である。
【図９】本発明に係る端子台用カバー機構の第２実施形態のカバー部材の上面図である。
【図１０】図９に示すカバー部材の側面図である。
【図１１】図９に示すカバー部材を端子台に重ねた状態を示す図である。
【図１２】図１１に示す状態からカバー部材をスライドさせ、カバー部材の嵌合溝を固定金具のスペーサ部に嵌合させた状態を示す図である。
【図１３】図１２に示す矢印Ｄ方向から見た側面図である。
【符号の説明】
【００４５】
Ｓ    取付面
Ｐ１    閉位置
Ｐ２    開位置
１、３０    端子台用カバー機構
２    基台
３    端子取付部
４    ねじ
５    端子台
２０    固定金具
２０ａ    スペーサ部
２１、３１    カバー部材
２１ｂ、３１ｂ    嵌合溝
２１ｃ、３１ｃ    折曲部
３１ａ    貫通部
【図１】
2008176946.tif 000003
【図２】
2008176946.tif 000004
【図３】
2008176946.tif 000005
【図４】
2008176946.tif 000006
【図５】
2008176946.tif 000007
【図６】
2008176946.tif 000008
【図７】
2008176946.tif 000009
【図８】
2008176946.tif 000010
【図９】
2008176946.tif 000011
【図１０】
2008176946.tif 000012
【図１１】
2008176946.tif 000013
【図１２】
2008176946.tif 000014
【図１３】
2008176946.tif 000015